(57)【要約】【課題】爪による回転つまみの取り付けが外れない、組み立て容易な回転式電子部品を提供する。【解決手段】ケース１９０と、ケース１９０の開口１９５内に回転自在に収納される回転つまみ２２０と、回転つまみ２２０によって回転操作される回転型物５０とを具備する。回転つまみ２２０に設けた爪２２９を、ケース１９０の開口１９５内に設けた周方向に延びる爪係合部２０１に係合すると同時に、爪２２９の背面側に回転型物５０に設けた押圧部６３を当接させることで爪２２９と爪係合部２０１との係合の外れを防止する。爪係合部２０１に係合した爪２２９の先端はケース１９０の外周よりも内側に位置している。回転型物５０を軸支部材９０の軸部９１によって回転自在に軸支する。【選択図】図１
2008282702.tif 000002
【特許請求の範囲】
【請求項１】
ケースと、前記ケースに設けた開口内に回転自在に収納される回転つまみと、前記回転つまみによって回転操作される回転体と、前記回転体の回転によって電気的出力を変化する電気的機能部とを具備し、
前記回転つまみに設けた爪を、前記ケースの開口内に設けた周方向に延びる爪係合部に係合すると同時に、爪の背面側に前記回転体に設けた押圧部を当接又は接近させることで前記爪と前記爪係合部との係合の外れを防止することを特徴とする回転式電子部品。
【請求項２】
前記爪係合部に係合した爪の先端がケースの外周よりも内側に位置していることを特徴とする請求項１に記載の回転式電子部品。
【請求項３】
前記回転体はその中央を貫通する軸支部材の軸部に回転自在に軸支されていることを特徴とする請求項１又は２に記載の回転式電子部品。
【発明の詳細な説明】
【技術分野】
【０００１】
本発明は、回転つまみを回転することで電気的出力を変化する回転式電子部品に関するものである。
【背景技術】
【０００２】
従来、回転式スイッチや回転式可変抵抗器等の回転式電子部品の中には、ケース（外装ケース等）の表面側に露出するように設置した回転つまみを回転操作することで、ケースの裏面側に設置した回転体（回転型物）を回転し、これによってその電気的出力を変化するように構成されたものがある。そしてこの種の回転式電子部品の中には、回転つまみと回転体との一体化を、回転つまみと回転体の外周部分で行うものがある。その場合例えば特許文献１に示すように、両者の一体化は回転つまみと回転体の何れか一方の外周に設けた爪を、他方の外周に設けた爪係合部に係合（スナップイン係合）することによって行われる。両者の一体化を回転つまみと回転体の外周部分で行うのは、例えば特許文献１に示すように、この回転式電子部品の中央に別の電子部品（例えば押圧式電子部品）を設置する場合、両者をその中央部分で一体化することがスペース的に困難である等の理由による。
【０００３】
しかしながら上記従来の回転式電子部品においては、回転つまみと回転体の一体化を爪及び爪係合部の係合によって行なっているので、回転つまみを強い力で引っ張り上げた場合、前記係合が外れ、回転つまみが外れてしまう恐れがあった。この問題は特に回転式電子部品が小型化して前記爪及び爪係合部による係合力が弱くなった場合に顕著となる。
【特許文献１】特開２００２−９３２８３号公報
【発明の開示】
【発明が解決しようとする課題】
【０００４】
本発明は上述の点に鑑みてなされたものでありその目的は、爪による回転つまみの取り付けが外れることのない、組み立ての容易な回転式電子部品を提供することにある。
【課題を解決するための手段】
【０００５】
本願請求項１に記載の発明は、ケースと、前記ケースに設けた開口内に回転自在に収納される回転つまみと、前記回転つまみによって回転操作される回転体と、前記回転体の回転によって電気的出力を変化する電気的機能部とを具備し、前記回転つまみに設けた爪を、前記ケースの開口内に設けた周方向に延びる爪係合部に係合すると同時に、爪の背面側に前記回転体に設けた押圧部を当接又は接近させることで前記爪と前記爪係合部との係合の外れを防止することを特徴とする回転式電子部品にある。
【０００６】
本願請求項２に記載の発明は、前記爪係合部に係合した爪の先端がケースの外周よりも内側に位置していることを特徴とする請求項１に記載の回転式電子部品にある。
【０００７】
本願請求項３に記載の発明は、前記回転体はその中央を貫通する軸支部材の軸部に回転自在に軸支されていることを特徴とする請求項１又は２に記載の回転式電子部品にある。
【発明の効果】
【０００８】
請求項１に記載の発明によれば、爪と爪係合部とを係合することで、回転つまみをケースに回転自在に取り付けたので、予め回転つまみを取り付けたケースを、回転体や電気的機能部を設置した部材上に取り付けるだけでケース付きの回転式電子部品の組み立てが行え、その組立作業が容易になる。
また回転つまみの爪の背面側に回転体の押圧部を当接又は接近して設置したので、例え回転つまみを強い力で引き上げても、爪と爪係合部との係合が外れることはない。
【０００９】
請求項２に記載の発明によれば、爪係合部に係合した爪の先端がケースの外周よりも内側に位置する程度浅い係合であっても、回転体の押圧部によって、爪と爪係合部との係合が外れることはない。
【００１０】
請求項３に記載の発明によれば、回転つまみを強い力で引き上げる際に爪によって回転体の押圧部が回転体の回転中心軸方向に押圧されても、この押圧力は軸支部材の軸部によって容易に支えることができる。
【発明を実施するための最良の形態】
【００１１】
以下、本発明の実施形態を図面を参照して詳細に説明する。
〔第１実施形態〕
図１は本発明の第１実施形態にかかる回転式電子部品１−１の概略断面図（説明の都合上、切断面は各部で異なっている）、図２は回転式電子部品１−１を上側から見た分解斜視図（その上側半分の部分）、図３は回転式電子部品１−１を上側から見た分解斜視図（その下側半分の部分）、図４は回転式電子部品１−１を下側から見た分解斜視図（その上側半分の部分）、図５は回転式電子部品１−１を下側から見た分解斜視図（その下側半分の部分）である。これらの図に示すように回転式電子部品１−１は、取付板１０上に、回路基板（以下「フレキシブル回路基板」という）３０と、回転体（以下「回転型物」という）５０と、中立位置復帰バネ８０と、軸支部材９０と、第２スイッチ基板１２０と、押圧部材１３０と、第１スイッチ基板１５０と、キートップ１６０と、ケース１９０と、回転つまみ２２０とを取り付けて構成されている。なお以下の説明において、取付板１０から見てケース１９０や回転つまみ２２０等を設置した側を上又は上方向といい、その反対側を下又は下方向という。以下各構成部品について説明する。
【００１２】
取付板１０は硬質板（この実施形態では金属板）であり、その中央に貫通する略Ｔ字状の小孔からなる軸支部材取付部１１を設け、その周囲４ヶ所に貫通する円形及び略矩形状の２つずつの小孔からなるケース取付部１３を設け、またケース取付部１３近傍部分に３つの略矩形状の貫通孔からなるかしめ用開口部１５を設けて構成されている。
【００１３】
フレキシブル回路基板３０は可撓性のある合成樹脂フイルム（この実施形態ではポリエチレンテレフタレート（ＰＥＴ）フイルムを用いている）３１の上面の所定位置に下記する摺動子７３が摺接する円弧状の摺接パターン３３を設け、また前記取付板１０の軸支部材取付部１１とケース取付部１３とかしめ用開口部１５にそれぞれ対応する同一位置にそれぞれこれらと略同一形状の軸支部材取付部３５とケース取付部３７とかしめ用開口部３９とを設けて構成されている。なお前記合成樹脂フイルム３１の材質としては、ＰＥＴフイルム以外にも、他の各種熱可塑性、熱硬化性、光硬化性の合成樹脂フイルム、例えばポリフェニレンスルフイド（ＰＰＳ）フイルム、ポリイミド（ＰＩ）フィルム、ポリエチレンナフタレート（ＰＥＮ）フイルム、ポリエーテルイミド（ＰＥＩ）フイルム、ポリエーテルエーテルケトン（ＰＥＥＫ）フイルム、ポリエーテルケトン（ＰＥＫ）フイルム、ポリカーボネート（ＰＣ）フイルム、ポリブチレンナフタレート（ＰＢＮ）フイルム、ポリブチレンテレフタレート（ＰＢＴ）フイルム等を用いても良い。また前記摺接パターン３３は合成樹脂フイルム３１上に所望の導電ペースト（抵抗体ペーストを含む）を印刷等することによって形成される。形成される摺接パターン３３は抵抗体パターンであっても良いし、スイッチパターンであっても良いし、その他の各種パターンであっても良い。また摺接パターン３３は印刷以外の各種方法、例えば金属箔のエッチングや金属蒸着等によって形成しても良い。
【００１４】
回転型物５０は、合成樹脂を略円板状に成形して構成されており、中央に上下に貫通する略円形の軸支孔５１を設け、またその外周面５３から半径方向外方に向かって舌片状（矩形状）に突出する複数（３つ）のつまみ取付部５５を設け、各つまみ取付部５５内に上下に貫通する細長形状の取付孔５７を設け、またその下面の所定位置（外周近傍位置）に薄く凹む摺動子取付部５９を設け、またその外周面５３から半径方向外方に向かって突出する小突起状のストッパー部６１を設け、さらにその外周面５３の１８０°対向する位置に半径方向外方に向かって台形状に突出する小突起状の一対の押圧部６３を設けて構成されている。
【００１５】
回転型物５０上面の軸支孔５１を設けたその周囲の面は浅く凹むバネ収納部６５となっており、このバネ収納部６５はその中央部分に略円形で下記する中立位置復帰バネ８０のコイル部８１の部分を収納するコイル部収納部６５ａを有し、またコイル部収納部６５ａの部分から半径方向外方に向かって扇状に形成されて下記する中立位置復帰バネ８０の弾発部８３の部分を収納する弾発部収納部６５ｂを有している。弾発部収納部６５ｂの左右両側面（円周方向に垂直な対向する面）は弾接面６７となっている。また摺動子取付部５９の底面には、下記する摺動子７３の位置決め取付用の一対の小突起状の取付凸部６９が突設されている。押圧部６３は回転型物５０の外周面５３から少しの高さ半径方向外方に向けて突出しており、その先端面は略円弧面状である。
【００１６】
摺動子７３は弾性金属板製であり、略矩形状の摺動子基部７５の外周の一辺から複数本（２本）の摺動冊子７７を突出してそれらの根元部分を摺動子基部７５の下面側に折り曲げて構成されている。摺動子基部７５には前記回転型物５０に設けた取付凸部６９に挿入される一対の取付穴部７９が設けられている。
【００１７】
中立位置復帰バネ８０はバネ線材をコイル状に巻き回してなるコイル部８１と、その両端を半径方向外方に向けて略直線状に突出してなる一対の弾発部８３とを具備して構成されている。
【００１８】
軸支部材９０は合成樹脂の成形品であり、前記回転型物５０の軸支孔５１に回動自在に挿入される寸法形状の軸部９１と、軸部９１の下面から突出して前記フレキシブル回路基板３０の軸支部材取付部３５と取付板１０の軸支部材取付部１１にぴったり嵌合する寸法形状（略Ｔ字形状）の柱状に突出する基板取付部９３と、軸部９１の上部に設置される略平板状で半径方向に広がる覆い部９５とを具備して構成されている。覆い部９５の下面の前記軸部９１の周囲を囲む位置には一対の略円弧状に突出する突出部９７が設けられており、これら突出部９７の内側の空間が前記中立位置復帰バネ８０のコイル部８１を収納する収納部９９となっている。一対の突出部９７の端部間に形成される２つの隙間の内の一方の隙間には前記中立位置復帰バネ８０の弾発部８３が挿入され、一対の突出部９７の対向する端部は弾発部当接部１０１となっている。覆い部９５の上面には複数（３つ）の小突起状の取付部１０３，１０５，１０７が設けられている。取付部１０３，１０７は１８０°対向する位置にあり、取付部１０５は一方の取付部１０７の近傍位置にある。
【００１９】
第２スイッチ基板１２０は合成樹脂フイルム（この実施形態ではＰＥＴフイルム）１２１を略円形に形成して構成されており、外周の二ヶ所の前記取付部１０３，１０５に対向する位置に舌片状に一対の突出部１２３を設け、これら突出部１２３中に前記取付部１０３，１０５を挿入する内径形状の小孔からなる取付部１２５を設け、またその上面中央に図示しない一対のスイッチ接点パターンを設け、これらスイッチ接点パターン上に弾性金属板をドーム形状に形成してなる反転板１２９を設置することで第２スイッチ１２７を設けて構成されている。
【００２０】
押圧部材１３０は合成樹脂の成形品であり、中央に略柱状の押圧部１３１を設け、押圧部１３１の外周の１８０°対向する位置から一対の薄板帯状のヒンジ部１３３を突出し、各ヒンジ部１３３の途中に小孔からなる取付部１３５を設け、またそれらの両先端部分に柱状のつまみストッパー１３７を設けて構成されている。両ヒンジ部１３３は全体として略Ｓ字状に屈曲しており、押圧部１３１を中心にして点対称になっている。従って押圧部１３１を中心にして両取付部１３５と両つまみストッパー１３７とは１８０°対称の位置に設置されている。両ヒンジ部１３３の押圧部１３１に接続されている部分近傍の部分は、ヒンジ部１３３のそれより先端側の部分に比べて上方向に少し持ち上がるように屈曲している。
【００２１】
第１スイッチ基板１５０は合成樹脂フイルム（この実施形態ではＰＥＴフイルム）１５１を略円形に形成して構成されており、外周の二ヶ所の下記するキートップ１６０の各取付部１６７に対向する位置に舌片状に一対の突出部１５３を設け、これら突出部１５３中に下記するキートップ１６０の取付部１６７を挿入する内径形状の小孔からなる取付部１５５を設け、またその下面中央に図示しない一対のスイッチ接点パターンを設け、これらスイッチ接点パターンの下面側に弾性金属板をドーム形状に形成してなる反転板１５９を設置することで第１スイッチ１５７を設けて構成されている。なおこの反転板１５９の反転に必要な押圧力と、前記第２スイッチ基板１２０の反転板１２９の反転に必要な押圧力とは異なっており、この実施形態では反転板１５９の反転に要する押圧力の方を弱くしている。
【００２２】
ところで図示の都合上、フレキシブル回路基板３０と第２スイッチ基板１２０と第１スイッチ基板１５０とを別々の部材として示しているが、この実施形態では実際にはこれら各基板は連結されており、従って第２スイッチ基板１２０と第１スイッチ基板１５０の出力はフレキシブル回路基板３０に引き出されている。つまり合成樹脂フイルム３１と合成樹脂フイルム１２１と合成樹脂フイルム１５１とは同一の一枚の合成樹脂フイルムである。なお回転型物５０に設けたスリット７１と軸支部材９０に設けたスリット１０９は、合成樹脂フイルム３１と合成樹脂フイルム１２１間を連結する合成樹脂フイルム（連結部）を周囲の邪魔にならないように通すためのものである。
【００２３】
キートップ１６０は合成樹脂の成形品であり、略円板状に形成されており、円板状の本体部１６１の外周にリング状のつば部１６２を設け、またその下面中央部分は基板取付面１６３となっており、またその下面の外周近傍部分の１８０°対向する位置には下方向に向かって突出する小突起状の一対のストッパー突起１６５及び一対の取付部１６７が設けられている。取付部１６７は前記第１スイッチ基板１５０の取付部１５５に挿入される位置・寸法に形成されている。
【００２４】
ケース１９０は合成樹脂の成形品であり、略筒状の側壁部１９１と、側壁部１９１の下部外周から半径方向外方に向けてリング状に突出するつば部１９３とを設け、またその中央に円形の開口１９５を設けて構成されている。ケース１９０の下面からは複数本（４本）の取付突部１９７が突出し、またその下面の所定位置に開口１９５の内周面側を切り欠いてなる凹部からなるストッパー挿入部１９９を設け、また開口１９５の内周面に周方向に延びる段部からなる爪係合部２０１を設けている。爪係合部２０１は開口１９５の下側の内径寸法が上側の内径寸法に比べて大きくなるような段部となっている。
【００２５】
回転つまみ２２０は合成樹脂の成形品であり、略円形であって中央に前記キートップ１６０の本体部１６１を露出する内径寸法の開口部２２１を設け、開口部２２１の周囲の上面を操作面２２３とし、また操作面２２３の下面から下方向に向かって側壁部２２５を突出し、側壁部２２５の下端辺から前記回転型物５０の各取付孔５７に挿入される略平板状の突起からなる取付突部２２７を突設し、また側壁部２２５の下端辺から前記回転型物５０の各押圧部６３に対向する位置（即ち１８０°対向する位置）に一対の爪２２９を突設して構成されている。爪２２９は下方向に延びる平板状の基部２３１と、基部２３１の先端で半径方向外向きに突出する爪部２３３とを具備し、半径方向に基部２３１が撓むように弾性を有して構成されている。
【００２６】
次に回転式電子部品１−１の組立方法を説明する。まず予め回転型物５０の摺動子取付部５９に摺動子７３を設置し、その際一対の取付凸部６９を取付穴部７９に挿入して位置決めし、何れか一方の取付凸部６９の先端を熱かしめして固定しておく。またキートップ１６０の下面に設けた一対の取付部１６７を第１スイッチ基板１５０に設けた一対の取付部１５５に挿入し、それらの先端を熱かしめすることによって、キートップ１６０に第１スイッチ基板１５０を取り付けておく。またケース１９０の開口１９５にその上面側から回転つまみ２２０の側壁部２２５を挿入し、一対の爪２２９をケース１９０の爪係合部２０１に係合（スナップイン係合）させておく。即ちケース１９０の開口１９５内に回転つまみ２２０の側壁部２２５を挿入した際に爪部２３３を開口１９５の内周面に当接して基部２３１を内側（開口１９５内側）に撓ませ、その後、爪部２３３を爪係合部２０１に係合することで前記基部２３１の撓みを解除して元の形状に復帰させることでスナップイン係合させる。これによって爪部２３３が前記ケース１９０の開口１９５内に設けた周方向に延びる爪係合部２０１内に係合することで、回転つまみ２２０はケース１９０に回動自在に取り付けられる。
【００２７】
そして取付板１０上にフレキシブル回路基板３０を載置する。このとき取付板１０の軸支部材取付部１１とケース取付部１３とかしめ用開口部１５の位置と、フレキシブル回路基板３０の軸支部材取付部３５とケース取付部３７とかしめ用開口部３９の位置とをそれぞれ一致させておく。次に中立位置復帰バネ８０のコイル部８１に軸支部材９０の軸部９１を挿入し、コイル部８１を収納部９９に収納すると同時に、一対の弾発部８３を弾発部当接部１０１に当接する。次にこの軸支部材９０の軸部９１を回転型物５０の軸支孔５１に回動自在に挿入した上で、これらをフレキシブル回路基板３０上に設置し、その際軸支部材９０の基板取付部９３をフレキシブル回路基板３０の軸支部材取付部３５と取付板１０の軸支部材取付部１１とに挿入・嵌合し、取付板１０の下面側に突出する基板取付部９３の先端を熱かしめによって固定する。これによって軸支部材９０はフレキシブル回路基板３０上に設置されて固定され、回転型物５０はフレキシブル回路基板３０と覆い部９５の間で回動自在に軸支される。またこのとき中立位置復帰バネ８０は回転型物５０のバネ収納部６５にも収納され、両弾発部８３は前記軸支部材９０の両弾発部当接部１０１に弾接すると同時に回転型物５０の弾発部収納部６５ｂの両弾接面６７にも同時に弾接する。またこのとき回転型物５０の各つまみ取付部５５は、フレキシブル回路基板３０の各かしめ用開口部３９及び取付板１０の各かしめ用開口部１５によって形成されている開口内に露出していて取付板１０の下方から見える。
【００２８】
次に軸支部材９０の覆い部９５の上面に第２スイッチ基板１２０を載置し、その際軸支部材９０の一対の取付部１０３，１０５をそれぞれ取付部１２５に挿入し、第２スイッチ基板１２０上に突出する一方の取付部１０５の先端を熱かしめして取り付ける。次に第２スイッチ基板１２０上に押圧部材１３０を載置し、その際一対の取付部１３５に前記軸支部材９０の取付部１０３，１０７を圧入することで押圧部材１３０を第２スイッチ基板１２０上に取り付ける。次に予め第１スイッチ基板１５０をその下面に載置して取り付けておいたキートップ１６０を、押圧部材１３０上に載置する。
【００２９】
そして前記回転つまみ２２０をスナップイン係合によって回転自在に取り付けておいたケース１９０を、キートップ１６０の上から被せ、ケース１９０のつば部１９３の下面をフレキシブル回路基板３０上に載置し、その際ケース１９０の各取付突部１９７をフレキシブル回路基板３０の各ケース取付部３７と取付板１０の各ケース取付部１３とに挿入する。同時に回転つまみ２２０の各取付突部２２７を回転型物５０の各取付孔５７に挿入する。このとき図１に示すように、回転型物５０の一対の押圧部６３の先端面は、回転つまみ２２０の一対の爪２２９の爪部２３３の背面にそれぞれ当接する。ここで爪２２９の背面とは、爪２２９の爪係合部２０１に対向する面の反対側の面をいう。そして図１に示すように、取付板１０の下面から突出する各取付突部１９７の先端、及び回転型物５０の下面から突出してフレキシブル回路基板３０の各かしめ用開口部３９と取付板１０の各かしめ用開口部１５に露出する各取付突部２２７の先端を、それぞれ熱かしめする。これによって図１に示す回転式電子部品１−１が完成する。
【００３０】
以上のように構成された回転式電子部品１−１において、キートップ１６０の上面を押圧すると、押圧部材１３０の押圧部１３１によって第１スイッチ基板１５０の反転板１５９が反転し、第１スイッチ１５７がオンする。さらにキートップ１６０を押圧すると、押圧部材１３０の押圧部１３１によって第２スイッチ基板１２０の反転板１２９が反転し、第２スイッチ１２７もオンする。前記キートップ１６０への押圧を解除していけば、第２スイッチ１２７、第１スイッチ１５７の順にオフする。なお反転板１５９，１２９等が破壊されないように、キートップ１６０の押圧寸法を規制するため、前述のようにキートップ１６０と押圧部材１３０にはストッパー突起１６５とつまみストッパー１３７とが設けられている。
【００３１】
一方回転つまみ２２０を回転すると、回転つまみ２２０の取付突部２２７と回転型物５０のつまみ取付部５５とからなる係合機構によって回転方向に対して一体化されている回転型物５０が回転し、回転型物５０に取り付けた摺動子７３の摺動冊子７７がフレキシブル回路基板３０の摺接パターン３３上を摺動し、摺接パターン３３の電気的出力が変化する。この実施形態では摺動子７３と摺接パターン３３が電気的機能部を構成している。回転つまみ２２０を回転した際、中立位置復帰バネ８０の一方の弾発部８３は軸支部材９０の一方の弾発部当接部１０１に当接し、他方の弾発部８３は回転型物５０の他方の弾接面６７に当接して弾接面６７の移動と共に移動し、これによって回転型物５０及び回転つまみ２２０には中立位置への自動復帰力が生じる。従って回転つまみ２２０への回転方向への押圧を解除すれば、回転つまみ２２０は回転型物５０と共に元の中立位置に自動復帰する。なお回転つまみ２２０及び回転型物５０の回転範囲は、回転型物５０のストッパー部６１がケース１９０のストッパー挿入部１９９内を移動する範囲に規制されている。
【００３２】
以上のようにこの回転式電子部品１−１は、ケース１９０と、ケース１９０に設けた開口１９５内に回転自在に収納される回転つまみ２２０と、回転つまみ２２０によって回転操作される回転型物５０と、回転型物５０の回転によって電気的出力を変化する電気的機能部（摺動子７３及び摺接パターン３３）とを具備している。
【００３３】
そして回転つまみ２２０に設けた爪２２９を、ケース１９０の開口１９５内に設けた周方向に延びる爪係合部２０１に係合する（さらにいえば、ケース１９０に設けた開口１９５の内周面を軸受として回転自在に回転つまみ２２０が収納されている）と同時に、爪２２９の背面側に回転型物５０に設けた押圧部６３を当接させることで爪２２９と爪係合部２０１との係合の外れを防止している。このように爪２２９と爪係合部２０１とを係合することで、回転つまみ２２０をケース１９０に回転自在に取り付けたので、予め回転つまみ２２０を取り付けたケース１９０を、回転型物５０や電気的機能部を設置した部材（フレキシブル回路基板３０）上に取り付けるだけでケース付きの回転式電子部品１−１の組み立てが行え、その組立作業が容易になる。また回転つまみ２２０の爪２２９の背面側に回転型物５０の押圧部６３を当接して設置したので、例え回転つまみ２２０を強い力で引き上げても、爪２２９が爪係合部２０１から離れる方向に移動することはなく、従って爪２２９と爪係合部２０１との係合が外れることはない。
【００３４】
またこの回転式電子部品１−１においては、回転型物５０と回転つまみ２２０の間に両者を回転方向に対して一体化する係合機構（回転型物５０のつまみ取付部５５と回転つまみ２２０の取付突部２２７からなる）を設けている。回転型物５０はケース１９０の開口１９５内に設置されて回転つまみ２２０によって回転操作される。つまり回転型物５０と回転つまみ２２０間の一体化を前記爪２２９と爪係合部２０１との係合によって行わず、別途設けた係合機構によって行うので、爪２２９と爪係合部２０１との係合による回転つまみ２２０の外れ防止と、係合機構による回転つまみ２２０と回転型物５０の回転方向の一体化とを別々に行うことができ、何れの機能も確実に発揮させることができる。
【００３５】
またこの回転式電子部品１−１においては、爪係合部２０１に係合した爪２２９の先端がケース１９０の外周よりも内側に位置していて爪２２９と爪係合部２０１との係合が浅い。そして本実施形態によれば、爪係合部２０１に係合した爪２２９の先端がケース１９０の外周よりも内側に位置する程度浅い係合であっても、回転型物５０の押圧部６３によって、爪２２９と爪係合部２０１との係合が外れることはない。即ちこの実施形態のようにケース１９０がそのまま最終組立機器での外装ケースになり、且つ回転式電子部品１−１の小型化が必要な場合、爪２２９（特に爪部２３３）をケース１９０から外方に突出しないようにその内側に位置させる必要から爪２２９と爪係合部２０１との係合が浅くなるが、このような場合にも十分対応できる。
【００３６】
また回転式電子部品１−１の回転型物５０は、その中央を貫通する軸支部材９０の軸部９１に回転自在に軸支されている。従って回転つまみ２２０を強い力で引き上げる際に爪２２９によって回転型物５０の押圧部６３が回転型物５０の回転中心軸方向に押圧されても、この押圧力は軸支部材９０の軸部９１によって容易に支えることができる。またこの回転式電子部品１−１の軸支部材９０には回転型物５０の上面を覆う覆い部９５が設けられている。つまり回転型物５０の上面を覆い部９５で覆うことで、回転型物５０の上方（ケース１９０の開口１９５の上方）への抜けが防止できる。さらに前記係合機構によって回転型物５０に回転つまみ２２０を一体に固定した場合（回転方向だけではなく上下方向も一体化した場合）は、回転つまみ２２０の上方向への抜けも同時に防止でき、即ちこの場合、爪２２９と爪係合部２０１の係合による回転つまみ２２０の抜け防止作用を係合機構によって補強することができる。なおこの係合機構のみによって回転つまみ２２０の抜けを防止するように構成すること（即ち爪２２９と爪係合部２０１の係合機構を省略すること）も考えられるが、そうすると回転つまみ２２０を引き上げた際にその力は全て軸支部材９０中央の軸部９１の基板取付部９３の一点に集中し、基板取付部９３を取り付けた部分が破壊・変形等される恐れが生じる。つまり回転つまみ２２０の取付強度が弱くなる。そこで回転つまみ２２０の抜け防止の主な役割は複数箇所に設置できて取付板１０に対して強い強度で取り付けられているケース１９０に力を分散できる爪２２９と爪係合部２０１の係合に担わせている。
【００３７】
〔第２実施形態〕
図６は本発明の第２実施形態にかかる回転式電子部品１−２の概略断面図（説明の都合上、切断面は各部で異なっている）である。この図に示すように回転式電子部品１−２も、前記回転式電子部品１−１と同様に、取付板１０上に、フレキシブル回路基板３０と、回転型物５０と、中立位置復帰バネ８０と、軸支部材９０と、第２スイッチ基板１２０と、押圧部材１３０と、第１スイッチ基板１５０と、キートップ１６０と、ケース１９０と、回転つまみ２２０とを取り付けて構成されている。回転式電子部品１−２において、前記図１〜図５に示す実施形態にかかる回転式電子部品１−１と同一又は相当部分には同一符号を付す。なお以下で説明する事項以外の事項については、前記図１〜図５に示す実施形態と同じである。
【００３８】
この回転式電子部品１−２において前記回転式電子部品１−１と相違する点は、回転型物５０のつまみ取付部５５と回転つまみ２２０の取付突部２２７からなる係合機構の構成のみである。即ちこの実施形態における係合機構は、回転つまみ２２０の取付突部２２７を回転型物５０のつまみ取付部５５の取付孔５７に挿入するだけであり、取付突部２２７の先端を熱かしめしない構造としている。つまりこの係合機構は、回転型物５０と回転つまみ２２０の両者を回転方向に対してのみ一体化する構成となっている。このように構成しても、回転つまみ２２０は爪２２９と爪係合部２０１との係合によってケース１９０から外れることが防止されているので、何ら問題は生じない。即ちこの実施形態の場合も、回転型物５０と回転つまみ２２０間の一体化を爪２２９と爪係合部２０１との係合によって行わず、別途設けた係合機構によって行うので、爪２２９と爪係合部２０１との係合による回転つまみ２２０の外れ防止と、係合機構による回転つまみ２２０と回転型物５０の回転方向の一体化とを別々に行うことができ、何れの機能も確実に発揮させることができる。なおその他の各種作用・効果も前記第１実施形態と同じである。なおこの実施形態の場合、取付突部２２７の先端を熱かしめする必要がないので、第１実施形態においてフレキシブル回路基板３０と取付板１０にそれぞれ設けたかしめ用開口部３９，１５は設けなくても良い。
【００３９】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば上記実施形態では爪２２９の背面側に回転型物５０に設けた押圧部６３を当接させたが、爪２２９の背面側に回転型物５０に設けた押圧部６３を接近して設置しても良い。この場合、回転つまみ２２０を強い力で引き上げようとした際、爪２２９は少し爪係合部２０１から離れる方向（内側方向）に移動するが、その移動位置にて押圧部６３に当接するので、上記実施形態と同様に爪２２９と爪係合部２０１との係合が外れることはない。ここで「接近」とは、爪２２９が背面側に移動しても押圧部６３に当接して爪２２９と爪係合部２０１との係合が保たれる範囲の接近をいう。
【００４０】
また回転式電子部品１−１，１−２を構成する各構成部品に種々の形状や構造の変更が可能であることは言うまでもない。例えばキートップ１６０や第１，第２スイッチ基板１５０，１２０等によって構成される押圧式電子部品は本発明においては必ずしも設置しなくても良く、省略しても良い。その場合押圧式電子部品を設置していた部分には別の各種機能部品（例えば揺動式電子部品や回転式電子部品等）を設置しても良いし、何も設置しなくても良い。また押圧式電子部品はこの実施形態のように二段押圧スイッチで構成しなくても良く、一段又は三段以上の押圧スイッチであっても良い。ケース１９０は必ずしもこの回転式電子部品１−１，１−２専用のケースでなくても良く、別の各種電子部品を搭載する外装ケースの一部に回転式電子部品１−１，１−２を取り付ける開口１９５を設けたものであっても良い。上記実施形態の電気的機能部は摺動子７３と摺接パターン３３からなる電気的機能部であったが、他の各種電気的機能部であっても良く、要は回転型物５０の回転によって電気的出力を変化する電気的機能部であればどのような構成や機能であっても良い。爪２２９や爪係合部２０１や押圧部６３の形状や構造も種々の変形が可能である。係合機構の構造も種々の変更が可能であり、要は回転型物５０と回転つまみ２２０を回転方向に対して一体化する係合機構であればどのような構造であっても良い。
【図面の簡単な説明】
【００４１】
【図１】回転式電子部品１−１の概略断面図である。
【図２】回転式電子部品１−１を上側から見た分解斜視図（上側半分部分）である。
【図３】回転式電子部品１−１を上側から見た分解斜視図（下側半分部分）である。
【図４】回転式電子部品１−１を下側から見た分解斜視図（上側半分部分）である。
【図５】回転式電子部品１−１を下側から見た分解斜視図（下側半分部分）である。
【図６】回転式電子部品１−２の概略断面図である。
【符号の説明】
【００４２】
１−１  回転式電子部品
１０  取付板
３０  フレキシブル回路基板（回路基板）
３３  摺接パターン（電気的機能部）
５０  回転型物（回転体）
５５  つまみ取付部（係合機構）
５７  取付孔（係合機構）
６３  押圧部
７３  摺動子（電気的機能部）
８０  中立位置復帰バネ
９０  軸支部材
９１  軸部
９５  覆い部
１２０  第２スイッチ基板
１３０  押圧部材
１５０  第１スイッチ基板
１６０  キートップ
１９０  ケース
１９５  開口
２０１  爪係合部
２２０  回転つまみ
２２７  取付突部（係合機構）
２２９  爪
２３１  基部
２３３  爪部
【図１】
2008282702.tif 000003
【図２】
2008282702.tif 000004
【図３】
2008282702.tif 000005
【図４】
2008282702.tif 000006
【図５】
2008282702.tif 000007
【図６】
2008282702.tif 000008